【手続補正書】
【提出日】平成19年7月6日(2007.7.6)
【手続補正１】
【補正対象書類名】明細書
【補正対象項目名】発明の名称
【補正方法】変更
【補正の内容】
【発明の名称】デジタルフィルタ装置、受信器およびＯＦＤＭ復調装置
【手続補正２】
【補正対象書類名】明細書
【補正対象項目名】特許請求の範囲
【補正方法】変更
【補正の内容】
【特許請求の範囲】
【請求項１】  一連のデジタル信号を所定段数の遅延素子群に順次入力して該デジタル信号をシフトさせ、各遅延素子からの出力に各遅延素子の配置位置に対応した重み係数を乗算し、これらの乗算結果を加算出力して前記デジタル信号をフィルタリングするデジタルフィルタ装置において、
前記遅延素子群の中心位置に配置された遅延素子を除き連続する２つの遅延素子からの出力を前記デジタル信号に同期して切替出力する複数の出力切替手段と、
前記複数の出力切替手段から切替出力される信号の出力元である各遅延素子の配置位置に対応した２つの重み係数を前記切替出力に対応させて切替出力する複数の係数切替手段と、
各出力切替手段からの切替出力に該出力切替手段に対応する前記係数切替手段からの切替出力を乗算する複数の乗算手段と、
各乗算手段からの出力を加算出力する加算手段と、
を備えたことを特徴とするデジタルフィルタ装置。
【請求項２】  前記遅延素子群の中心位置に対して対称位置にある２つの遅延素子からの出力を加算する複数の加算手段を備え、
少なくとも前記連続する２つの遅延素子からの出力を加算する２つの加算手段からの出力を前記連続する２つの遅延素子に対応した出力切替手段に入力することを特徴とする請求項１に記載のデジタルフィルタ装置。
【請求項３】  前記係数切替手段は、２つの遅延素子を直列接続するとともに出力側の遅延素子の出力を入力側の遅延素子に接続し、前記デジタル信号に同期して前記２つの重み係数を交番出力することを特徴とする請求項１または２に記載のデジタルフィルタ装置。
【請求項４】  前記一連のデジタル信号は、直交復調されたＩ成分およびＱ成分のデジタル信号であることを特徴とする請求項１〜３のいずれか一つに記載のデジタルフィルタ装置。
【請求項５】  一連のデジタル信号を所定段数の遅延素子群に順次入力して該デジタル信号をシフトさせ、各遅延素子からの出力に各遅延素子の配置位置に対応した重み係数を乗算し、これらの乗算結果を加算出力して前記デジタル信号をフィルタリングするデジタルフィルタを備え、デジタル直交変調信号を復調出力する受信器において、
前記デジタルフィルタは、
前記遅延素子群の中心位置に配置された遅延素子を除き連続する２つの遅延素子からの出力を前記デジタル信号に同期して切替出力する複数の出力切替手段と、
前記複数の出力切替手段から切替出力される信号の出力元である各遅延素子の配置位置に対応した２つの重み係数を前記切替出力に対応させて切替出力する複数の係数切替手段と、
各出力切替手段からの切替出力に該出力切替手段に対応する前記係数切替手段からの切替出力を乗算する複数の乗算手段と、
各乗算手段からの出力を加算出力する加算手段と、
を備えたことを特徴とする受信器。
【請求項６】  一連のデジタル信号を所定段数の遅延素子群に順次入力して該デジタル信号をシフトさせ、各遅延素子からの出力に各遅延素子の配置位置に対応した重み係数を乗算し、これらの乗算結果を加算出力して前記デジタル信号をフィルタリングするデジタルフィルタを備え、直交復調したデジタル信号を前記デジタルフィルタにかけてＯＦＤＭ復調するＯＦＤＭ復調装置において、
前記デジタルフィルタは、
前記遅延素子群の中心位置に配置された遅延素子を除き連続する２つの遅延素子からの出力を前記デジタル信号に同期して切替出力する複数の出力切替手段と、
前記複数の出力切替手段から切替出力される信号の出力元である各遅延素子の配置位置に対応した２つの重み係数を前記切替出力に対応させて切替出力する複数の係数切替手段と、
各出力切替手段からの切替出力に該出力切替手段に対応する前記係数切替手段からの切替出力を乗算する複数の乗算手段と、
各乗算手段からの出力を加算出力する加算手段と、
を備えたことを特徴とするＯＦＤＭ復調装置。
【手続補正３】
【補正対象書類名】明細書
【補正対象項目名】０００１
【補正方法】変更
【補正の内容】
【０００１】
【発明の属する技術分野】
この発明は、受信したＩＦ信号をＩ／Ｑベースバンドに復調した信号をローパスフィルタによってフィルタリングするデジタルフィルタ装置に関し、特に、デジタル通信用に好適なデジタルフィルタ装置およびこれを用いた受信器、ＯＦＤＭ復調装置に関するものである。
【手続補正４】
【補正対象書類名】明細書
【補正対象項目名】００１５
【補正方法】変更
【補正の内容】
【００１５】
この発明は上記に鑑みてなされたもので、簡易な構成でフィルタ性能の低下を招かずにコンパクトなデジタルフィルタ装置、およびこれを用いた受信器、ＯＦＤＭ復調装置を提供することを目的とする。
【手続補正５】
【補正対象書類名】明細書
【補正対象項目名】００２４
【補正方法】変更
【補正の内容】
【００２４】
また、請求項５にかかる受信器および請求項６にかかるＯＦＤＭ復調装置は、一連のデジタル信号を所定段数の遅延素子群に順次入力して該デジタル信号をシフトさせ、各遅延素子からの出力に各遅延素子の配置位置に対応した重み係数を乗算し、これらの乗算結果を加算出力して前記デジタル信号をフィルタリングするデジタルフィルタを備えた受信器およびＯＦＤＭ復調装置において、前記デジタルフィルタは、前記遅延素子群の中心位置に配置された遅延素子を除き連続する２つの遅延素子からの出力を前記デジタル信号に同期して切替出力する複数の出力切替手段と、前記複数の出力切替手段から切替出力される信号の出力元である各遅延素子の配置位置に対応した２つの重み係数を前記切替出力に対応させて切替出力する複数の係数切替手段と、各出力切替手段からの切替出力に該出力切替手段に対応する前記係数切替手段からの切替出力を乗算する複数の乗算手段と、各乗算手段からの出力を加算出力する加算手段と、を備えたことを特徴とする。
【手続補正６】
【補正対象書類名】明細書
【補正対象項目名】００２５
【補正方法】変更
【補正の内容】
【００２５】
この請求項５および請求項６の発明によれば、受信器は、乗算器の数を削減したデジタルフィルタ装置を備え、直交復調信号を出力やＯＦＤＭ復調を行なうようにしている。
【手続補正７】
【補正対象書類名】明細書
【補正対象項目名】００３１
【補正方法】変更
【補正の内容】
【００３１】
ここで、図２（ａ）は、数値制御発生器（ＮＣＯ：Numerically Controlled Oscillator）から出力される信号により直交復調されたＩ信号９とＱ信号１０とを示している。Ｉ信号９とＱ信号１０とは、それぞれ４ビット（（０），（１），（２），（３））周期の信号になっている。また、図２（ｂ）は、Ｉ信号９に注目した場合、直交復調部１４が出力情報を含む信号がフィルタ入力した時刻Ｚ２，Ｚ４に対応した同期信号Ｔ１と、出力情報を含まない時刻Ｚ１，Ｚ３，Ｚ５に対応した同期信号Ｔ２とをフィルタ入力と同時にデジタルフィルタ装置１に送出することができることを示している。
【手続補正８】
【補正対象書類名】明細書
【補正対象項目名】００４９
【補正方法】変更
【補正の内容】
【００４９】
図８は、この発明の実施の形態２であるデジタルフィルタ装置１の構成を示すブロック図である。このデジタルフィルタ装置１ａは、実施の形態１のデジタルフィルタ装置１のマルチプレクサ３０１をＦＦ１０６，１０７に置き換えたものである。なお、図１と同じ構成には同符号を付している。
【手続補正９】
【補正対象書類名】明細書
【補正対象項目名】００６４
【補正方法】変更
【補正の内容】
【００６４】
また、請求項５および請求項６の発明によれば、この発明による受信器およびＯＦＤＭ復調装置は乗算器の数を削減したデジタルフィルタを備えることによって、コンパクトにできるという効果を奏する。